(57)【要約】      （修正有）【課題】より多くの顧客の来店を促進するための来店促進用顧客カード及び来店促進用ポイントカードを提供する。【解決手段】顧客を特定する情報の記載欄と、累積する点数を表示する、複数行１１−１〜１１−５又は複数列からなる累積点数表示欄１１と、を備え、前記累積点数表示欄１１の行１１−１〜１１−５又は列が、一区切りにつき一点表示される点数欄１０１〜１３０が複数並設されて構成されており、前記累積点数表示欄１１の行１１−１〜１１−５間又は列間に、該行１１−１〜１１−５間又は列間の点数欄１０１〜１３０と点数欄１０１〜１３０とを連結させる連結マーク１３が配置されていることを特徴とする。【選択図】図１
0003151745.tif 000002
【実用新案登録請求の範囲】
【請求項１】
顧客を特定する情報の記載欄と、
累積する点数を表示する、複数行又は複数列からなる累積点数表示欄と、を備え、
前記累積点数表示欄の行又は列が、一区切りにつき一点表示される点数欄が複数並設されて構成されており、
前記累積点数表示欄の行間又は列間に、該行間又は列間の点数欄と点数欄とを連結させる連結マークが配置されていることを特徴とする来店促進用顧客カード。
【請求項２】
前記点数欄は、任意の日に顧客が来店し予め定めた条件を満たしたことを証明する捺印が施される捺印欄であることを特徴とする請求項１に記載の来店促進用顧客カード。
【請求項３】
顧客を特定する情報の記載欄と、
累積する点数を表示する、複数行又は複数列からなる累積点数表示欄と、
獲得可能なポイント数が表示されるポイント表示欄と、を備え、
前記累積点数表示欄の行又は列が、一区切りにつき一点表示される点数欄が複数並設されて構成されており、
前記累積点数表示欄の行間又は列間に、該行間又は列間の点数欄と点数欄とを連結させる連結マークが配置されていることを特徴とする来店促進用ポイントカード。
【請求項４】
前記点数欄は、任意の日に顧客が来店し予め定めた条件を満たしたことを証明する捺印が施される捺印欄であることを特徴とする請求項３に記載の来店促進用ポイントカード。
【請求項５】
前記ポイント表示欄は、前記累積点数表示欄の行又は列ごとに、付与されるポイントを表示していることを特徴とする請求項３に記載の来店促進用ポイントカード。
【考案の詳細な説明】
【技術分野】
【０００１】
本考案は、来店促進用顧客カード及び来店促進用ポイントカードに関し、特に、顧客が店舗に来店して一定の条件を満たした場合に捺印し、この捺印数に応じてポイント等の特典を付与することにより、顧客の来店と店舗の売上を促進する来店促進用顧客カード及び来店促進用ポイントカードに関する。
【背景技術】
【０００２】
従来の小売店舗においては、顧客の来店促進と売上向上のために、顧客が店舗に来店して一定の条件を満たした場合に捺印し、この捺印数に応じて割引やポイント等の特典を付与するスタンプカードが広く用いられている。
【０００３】
図４に、従来のスタンプカードの例を示す。この図に示すように、従来のスタンプカード２００は、顧客が一定の条件を満たした場合にスタンプを捺印する累積スタンプ表示欄２０１と、この累積スタンプ表示欄２０１に所定数のスタンプが溜まった場合に獲得できる特典（例えばポイント）を表示する特典表示欄２０２と、顧客の情報を記載する顧客情報記載欄２０４と、を備えている。
【考案の概要】
【考案が解決しようとする課題】
【０００４】
しかしながら、上記のような従来のスタンプカードでは、割引やポイント付与等の特典を獲得するまでに必要となるスタンプの数が多く、それらの特典を得る前に顧客の意欲が落ちてしまうことも多かった。
【０００５】
そこで本考案は、上記状況に鑑みて、より多くの顧客の来店を促進し、売上の向上を図ることができる来店促進用カード及び来店促進用ポイントカードを提供することを目的とする。
【課題を解決するための手段】
【０００６】
上記課題を解決するために、本考案は、顧客を特定する情報の記載欄と、累積する点数を表示する、複数行又は複数列からなる累積点数表示欄と、を備え前記累積点数表示欄の行又は列が、一区切りにつき一点表示される点数欄が複数並設されて構成されており、前記累積点数表示欄の行間又は列間に、該行間又は列間の点数欄と点数欄とを連結させる連結マークが配置されていることを特徴とする来店促進用顧客カードを提供する。
【０００７】
ここで、前記点数欄は、任意の日に顧客が来店し予め定めた条件を満たしたことを証明する捺印が施される捺印欄であるのが好適である。
【０００８】
また、上記課題を解決するために、本考案は、顧客を特定する情報の記載欄と、累積する点数を表示する、複数行又は複数列からなる累積点数表示欄と、獲得可能なポイント数が表示されるポイント表示欄と、を備え、前記累積点数表示欄の行又は列が、一区切りにつき一点表示される点数欄が複数並設されて構成されており、前記累積点数表示欄の行間又は列間に、該行間又は列間の点数欄と点数欄とを連結させる連結マークが配置されていることを特徴とする来店促進用ポイントカードを提供する。
【０００９】
ここで、前記点数欄は、任意の日に顧客が来店し予め定めた条件を満たしたことを証明する捺印が施される捺印欄であるのが好適である。
【００１０】
さらに、前記ポイント表示欄は、前記累積点数表示欄の行又は列ごとに、付与されるポイントを表示するものであるのが好適である。
【考案の効果】
【００１１】
本考案の来店促進用顧客カード及び来店促進用ポイントカードによれば、顧客の来店しようという意欲が削がれることを防止し、顧客来店数及び売上の向上を図ることができる。
【図面の簡単な説明】
【００１２】
【図１】本考案の実施形態に係る来店促進用ポイントカードの記載内容を示す説明図である。
【図２】本考案の実施形態に係る来店促進用ポイントカードの具体例を示す模式図である。
【図３】図２の来店促進用ポイントカードの累積点数表示欄を簡易に表した模式図である。
【図４】従来のスタンプカードの例を示す模式図である。
【考案を実施するための形態】
【００１３】
以下、本考案の実施の形態について、図面を参照しながら詳細に説明する。
なお、以下の実施形態においては、本考案に係る来店促進用ポイントカードについて説明する。本考案に係る来店促進用顧客カードについては、ポイント以外の特典を付与する点以外は本考案に係る来店促進用ポイントカードと実質的に同じ構成であるため、本考案に係る来店促進用顧客カードの説明は以下の説明に含まれるものとし、これを省略する。
【００１４】
図１は、本考案の実施形態に係る来店促進用ポイントカードの記載内容を示す説明図である。ここで図１（ａ）はカードの表面を示し、図１（ｂ）はカードの裏面を示している。但し、この表面と裏面の関係は説明上の便宜的なものであり、図１（ａ）がカードの裏面、図１（ｂ）がカードの表面を示すものとしても良い。
【００１５】
また、下記実施形態における、裏表各面の記載はあくまで一例であり、記載内容のそれぞれはどちらの面に記載されていても良く、下記の例に限定されるも
のではない。
【００１６】
さらに、ここでは顧客への特典としてポイントを付与する例について記載しているが、例えば割引クーポン等、他の形態の特典付与を行うようにしても良い。
【００１７】
本実施形態の来店促進用ポイントカード（以下、単に「カード」という）１は、図１（ａ）に示すように、店舗の名前や屋号、支店名等を記載する店名情報欄１ａと、本カード１の利用方法、特典内容等を説明するカード説明情報欄１ｂと、その他の情報を記載するその他情報欄１ｃと、を備えている。
【００１８】
また、図１（ｂ）に示すように、顧客が一定の条件を満たした場合にスタンプを捺印する累積スタンプ表示欄（累積点数表示欄）１１と、この累積スタンプ表示欄１１に所定数のスタンプが溜まった場合に獲得できるポイントを表示するポイント表示欄１２と、顧客の氏名、住所等が記載される顧客情報記載欄１４と、カード１が有効な期間を表示する有効期間表示欄１５と、特典（ポイント）を交換する際に店舗側の認印が捺印される捺印欄１６と、を備えている。
【００１９】
累積スタンプ表示欄１１は、図に示すように複数行又は複数列から構成される。ここでは例として、複数行１１−１〜１１−５からなる累積スタンプ表示欄１１を図示している。この累積スタンプ表示欄１１の行１１−１〜１１−５は、それぞれが複数のスタンプ欄（点数欄）１０１〜１３０から構成されている。ここでは、３０個のスタンプ欄１０１〜１３０が設けられたカード１の例を示しているが、その数や配置は期間や用途によって任意に設定することができる。
【００２０】
累積スタンプ表示欄１１には、従来と同様に、顧客が来店して一定の条件を満たした場合に、予め定められた順番にスタンプが捺印されていく。ここでは行１１−１〜１１−５を捺印で埋めていく都度に特典（ポイント）が付与される例を示している。そのため、行１１−１〜１１−５の最後のスタンプ欄１０６、１１２、１１８、１２４、１３０に隣接して、ポイント表示欄１２−１〜１２−５が配置されている。このポイント表示欄１２−１〜１２−５には、隣接するスタンプ欄１０６、１１２、１１８、１２４、１３０までスタンプが捺印されると得られるポイントが表示されている。
【００２１】
なお、ここでは各行１１−１〜１１−５毎にポイントが得られる構成としたが、累積スタンプ欄１１を全てスタンプで埋めた場合にのみポイントが得られる構成としてポイント表示欄１２は一つのみ設けるようにしても良いし、各行１１−１〜１１−５毎ではなく、例えば特定数のスタンプ欄毎、あるいはランダムにポイントが得られる構成として、それに合わせてポイント表示欄１２を設けるようにしても良い。
【００２２】
累積スタンプ表示欄１１の行１１−１〜１１−５の間には、連結マーク１３が配置されている。この連結マーク１３は、イラストやロゴであっても良いし、文字であっても良い。またここでは、連結マーク１３がランダムに配置されている例を示しているが、規則的に配置される構成であっても良い。この連結マーク１３は、配置された位置のスタンプ欄とスタンプ欄とを連結するものである。つまり、この連結マーク１３で示された位置のスタンプ欄（例えばスタンプ欄１０３）にスタンプが捺印された際、連結マーク１３によって連結されたスタンプ欄（上記の例の場合スタンプ欄１０９）にも捺印を施す。そうすることで、顧客にとっては二つのスタンプを同時に得られるためにお得感があるとともに、目標を達成しやすくなるために意欲を持続させることが可能となる。
【００２３】
なお、ここでは、累積点数表示欄１１に表示されるのは、店舗の係員が捺印するスタンプである例を示しているが、本考案ではこれに限定せず、例えば印字されたマーク等であっても良い。
【００２４】
以下、図２及び図３を用いて本考案の実施形態に係る来店促進用ポイントカードの具体例について説明する。
【００２５】
図２は、本考案の実施形態に係る来店促進用ポイントカードの具体例を示す模式図である。ここでは図１（ｂ）に示すカードと全面的に同じ形式を採用し、来店促進用ポイントカード１Ａの裏面を示している。図３は、図２の来店促進用ポイントカード１Ａの累積スタンプ表示欄１１Ａを簡易に表した模式図である。
【００２６】
図２の累積スタンプ表示欄１１Ａは、スタンプ欄が横に６個並設された行が、縦に５行設けられて構成されている。各スタンプ欄には、左上から順に通し番号（「１」〜「３０」）が振られており、各行１１−１Ａ〜１１−５Ａの末尾にはポイント表示欄１２−１Ａ〜１２−５Ａが設けられていて、各行１１−１Ａ〜１１−５Ａの末尾まで捺印されると獲得できる特典（ポイント）が表示されている。
【００２７】
累積スタンプ表示欄１１Ａの各行１１−１Ａ〜１１−５Ａの間には、ランダムに連結マーク１３Ａが配置されている。ここでは六か所に連結マーク１３Ａが設けられている。
【００２８】
このほか、顧客情報記載欄１４Ａ、有効期間表示欄１５Ａ、捺印欄１６Ａが設けられている。
【００２９】
以下、図３を用いてこの来店促進用ポイントカード１Ａを利用する際の流れについて説明する。
【００３０】
まず、図３（ａ）に示すように、顧客が一度来店し特定の条件を満たすと、スタンプ欄「１」に一つスタンプが捺印される。
【００３１】
次に、顧客が異なる日に一度ずつ、二度来店し、各回とも特定の条件を満たすと、スタンプ欄に各回一つずつスタンプが捺印される。まずスタンプ欄「２」に捺印され、次いで、スタンプ欄「３」に捺印される。このとき、スタンプ欄「３」の下にスタンプ欄「３」と「９」とを連結させる連結マーク１３Ａが配置されているため、図３（ｂ）に示すようにスタンプ欄「９」にも捺印される。
【００３２】
次に、顧客が異なる日に一度ずつ、三度来店し、各回とも特定の条件を満たすと、スタンプ欄に各回一つずつスタンプが捺印される。図３（ｃ）に示すように、まずスタンプ欄「４」に捺印され、次いで、スタンプ欄「５」、「６」に捺印される。これで行１１−１Ａを末尾までスタンプで埋めたため、ポイント表示欄１２−１Ａに表示されるポイント（ここでは５０ポイント）を獲得することになる。
【００３３】
次に、顧客が異なる日に一度ずつ、三度来店し、各回とも特定の条件を満たすと、スタンプ欄に各回一つずつスタンプが捺印される。図３（ｄ）に示すように、まずスタンプ欄「７」、「８」に捺印され、次いで、スタンプ欄「９」は既にスタンプが押されているため、これを飛ばしてスタンプ欄「１０」に捺印される。
【００３４】
次に、顧客が一度来店し特定の条件を満たすと、スタンプ欄「１１」に一つスタンプが捺印される。このとき、スタンプ欄「１１」の下にスタンプ欄「１１」と「１７」とを連結させる連結マーク１３Ａが配置されているため、図３（ｅ）に示すようにスタンプ欄「１７」にも捺印される。
【００３５】
次に、顧客が一度来店し特定の条件を満たすと、スタンプ欄「１２」に一つスタンプが捺印される。これで行１１−２Ａを末尾までスタンプで埋めたため、ポイント表示欄１２−２Ａに表示されるポイント（ここでは１００ポイント）を獲得することになる。
【００３６】
顧客が来店する度に上記のような捺印を繰り返し、有効期間表示欄１５Ａに表示された捺印期間を過ぎた後に、獲得したポイント（上記の例では１００ポイント）を顧客に付与する。
【００３７】
上記のように構成したため、本考案の来店促進用顧客カード及び来店促進用ポイントカードによれば、顧客の来店しようという意欲が削がれることを防止し、顧客来店数及び売上の向上を図ることができる。
【００３８】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００３９】
本考案は、顧客が店舗に来店して一定の条件を満たした場合に捺印し、この捺印数に応じてポイント等の特典を付与することにより、顧客の来店と店舗の売上を促進する来店促進用顧客カード及び来店促進用ポイントカードに関し、産業上の利用可能性を有する。
【符号の説明】
【００４０】
１        来店促進用ポイントカード
１Ａ      来店促進用ポイントカード
１ａ      店名情報欄
１ｂ      カード説明情報欄
１ｃ      その他情報欄
１１      累積スタンプ表示欄（累積点数表示欄）
１１Ａ    累積スタンプ表示欄
１１−１〜１１−５        行
１１−１Ａ〜１１−５Ａ    行
１２      ポイント表示欄
１２−１〜１２−５        ポイント表示欄
１２−１Ａ〜１２−５Ａ    ポイント表示欄
１３      連結マーク
１３Ａ    連結マーク
１４      顧客情報記載欄
１４Ａ    顧客情報記載欄
１５      有効期間表示欄
１５Ａ    有効期間表示欄
１６      捺印欄
１６Ａ    捺印欄
１０１〜１３０    スタンプ欄（点数欄）
【図１】
0003151745.tif 000003
【図２】
0003151745.tif 000004
【図３】
0003151745.tif 000005
【図４】
0003151745.tif 000006